(57)【特許請求の範囲】
【請求項１】
残存部と、残存部上に存在する移動すべき除去部と、残存部及び除去部とに埋設された鉄筋とを含むコンクリート構築物の除去部及び鉄筋をカッターにより斜めに切断して、除去部に切断部を形成すると共に、鉄筋に分離部を形成する段階と、
切断部及び分離部内に平板状ジャッキを挿入する段階と、
加圧された気体以外の流動体を平板状ジャッキ内に供給して平板状ジャッキを膨張させ、切断部の両面間を互いに離れる方向に力を与える段階と、
移動された除去部を除去する段階とを包含することを特徴とするコンクリート構築物の一部を除去する方法。
【請求項２】
切断部を形成する段階は、残存部から上方に向かって除去部内に延びて埋設された鉄筋に分離部を形成する段階を含む請求項１に記載の方法。
【請求項３】
ダイヤモンド粉末により周囲に刃部を形成した円形のダイヤモンドカッターを使用して、コンクリート構築物に切断部を形成し又は鉄筋に分離部を形成する請求項１又は２に記載の方法。
【発明の詳細な説明】
【技術分野】
【０００１】
この発明は、コンクリート構築物の一部、特に橋梁に設けられる伸縮継手の補強部を除去する方法及びこの方法の実施に使用する平板状ジャッキに関するものである。
【背景技術】
【０００２】
高架道路を含む橋梁に設けられかつある期間使用された伸縮継手を交換する際に、伸縮継手を取付た補強部を除去して再構築する必要がある。本発明者は、伸縮継手取付用補強部の鉄筋に引張に弱い部分を形成して、容器状の扁平で細長い金属製膨脹部材を埋設しておき、長期間使用した後伸縮継手を交換する際に、加圧液体等を金属製膨張部材内に供給して膨張部材を膨脹させると鉄筋の弱い部分が破壊され補強部が分離して補強部を上昇させ容易に除去できる方法及び装置を下記特許文献１により提案した。しかしながら、前記方法及び装置は、大きい騒音を発生するブレーカーを使用して長時間かけて大部分の伸縮継手取付用補強部を除去しなければならなず、また、ブレーカーを使用すると、床版まで損傷する場合にその復旧工事も必要になった。
【０００３】
また、最近では、周囲にダイヤモンド粉末により刃部を形成した円形の刃体を有するダイヤモンドカッターを使用して、一般的なコンクリート構築物を切断しかつ破壊するとき、例えば４mm以内程度の薄い厚さの切断部がコンクリート構築物に形成されるが、伸縮継手取付用補強部を除去する場合にカッターで形成した溝は全く使用されなかった。
【０００４】
【特許文献１】
特開昭５７−７７７５９号公報
【発明の開示】
【発明が解決しようとする課題】
【０００５】
この発明は、騒音公害を減少しながらコンクリート構築物の一部を短期間で容易に除去できる方法及びこの方法の実施に使用される平板状ジャッキを提供することを目的とする。また、この発明は、伸縮継手取付用補強部等を除去する際に、床版の損傷を防止できるコンクリート構築物の一部を除去する方法及びこの方法の実施に使用できる平板状ジャッキを提供することを目的とする。
【課題を解決するための手段】
【０００６】
この発明によるコンクリート構築物の一部を除去する方法は、残存部(11)と、残存部(11)上に存在する移動すべき除去部(23)と、残存部(11)及び除去部(23)とに埋設された鉄筋(12)とを含むコンクリート構築物の除去部(23)及び鉄筋(12)をカッターにより斜めに切断して、除去部(23)に切断部(28)を形成すると共に、鉄筋(12)に分離部(45)を形成する段階と、切断部(28,29)及び分離部(45)内に平板状ジャッキ(33)を挿入する段階と、加圧された気体以外の流動体を平板状ジャッキ(33)内に供給して平板状ジャッキ(33)を膨張させ、切断部(28)の両面間を互いに離れる方向に力を与える段階と、移動された除去部(23)を除去する段階とを包含する。
【０００７】
円形のカッターによりコンクリート構築物に斜めに形成された切断部(28)及び分離部(45)内に平板状ジャッキ(33)を挿入した後、気体以外の流動体を流入口(36)から金属板(35)内に加圧供給して、金属板(35)を膨張させ切断部(28)及び分離部(45)の両面間を互いに離れる方向に力を与えて、コンクリート構築物の除去部(23)を残存部(11)から破断することができる。
【０００８】
この発明によるコンクリート構築物の一部を除去する方法及び平板状ジャッキの実施の形態を図１〜図５について説明する。
【０００９】
図１〜図４は、橋梁の床版上に構築した伸縮継手取付用の補強部を除去するこの発明の実施の形態を示す。図１及び図２に示すように、コンクリート構築物の下方に設けられる床版１０の残存部１１から所定間隔で逆Ｕ字状に延びるＵ字鉄筋１２は、垂直部１２ａと、垂直部１２ａの上端に設けられた水平部１２ｂとを備えている。また、水平に配置された複数本の水平鉄筋１４は、水平部１２ｂの下面側に直交する状態でＵ字鉄筋１２に結合され、伸縮継手１７のアンカーボルト１９が水平鉄筋１４に固着される。伸縮継手取付用の補強部、即ち除去部２３は、床版１０の上部に配置され、床版１０の上面と除去部２３との間に境界面２２が形成されるが、除去部２３のない床版１０の上部には舗装部２４が形成される。Ｕ字鉄筋１２の底部は、床版１０の残存部１１内に埋設され、Ｕ字鉄筋１２の上部、水平鉄筋１４及びアンカーボルト１９は、伸縮継手取付用の補強部２３内に埋設される。補強部２３の長さは、例えば３０cm程度であり、厚さは２０cm以内程度である。伸縮継手１７を交換する場合に、除去部を構成する補強部２３を除去しかつ再構築する必要がある。
【００１０】
補強部２３を除去する際に、市販のダイヤモンドカッターを使用して、補強部２３の横方向に延びる切断部２８を斜め形成し、床版１０から上方へ延びるＵ字鉄筋１２の両端部を境界面２２よりやや上方で切断すると共に、Ｕ字鉄筋１２に分離部４５を形成する。幅方向に１列に配置される複数のＵ字鉄筋１２の切断は、ダイヤモンドカッターによる両側での各１回ずつの切断で終了する。
【００１１】
ダイヤモンドカッターを使用して境界面２２に達するように舗装部２４との境界付近に切断部２９が形成され、切断部２９内には平板状ジャッキ３３が配置される。切断部２９内に収容される平板状ジャッキ３３は、図５に示すように、例えば２枚の金属板３５を重ね合せて、重ね合わせた金属板３５の周囲を溶接又はろう付けして結合部３４を形成し、金属板３５に流入口３６が設けられる。使用時に、平板状ジャッキ３３の流入口３６から気体以外の水，油，ワセリン等の流動性のある物質よりなる流動体を加圧供給すると、金属板３５は、膨脹して大きい力を発生し、床版１０の上面と除去部２３との間に境界面２２が破壊され、図４に示すように、補強部２３を移動させる。平板状ジャッキ３３は、１回使用毎に使い捨てる。
【００１２】
適当な幅で複数回に分けて僅かに移動させ床版１０から分離して補強部２３を除去するため、１回毎に除去する範囲の両側をそれぞれ補強部２３の移動方向に切断して切断部３８を形成しておく必要がある。この場合、埋設された鉄筋があれば切断部２８を形成する際にそのまま切断する。図３に示すように、ほぼ境界面２２に達する１０〜２０cm程度の深さでかつほぼ補強部２３の幅で例えば幅３.５m毎に切断部３８が形成される。補強部２３の幅が３.５m以内程度であれば両側のみに移動方向の切断部３８を形成すればよい。
【００１３】
図１に示す状態で、平板状ジャッキ３３内に加圧流動体を供給すると、加圧流動体は、ジャッキ３３を膨張させる大きい力を発生して除去部となる補強部２３の境界面２２を破壊して図４に示すように僅かに補強部２３を移動させる。この場合、一度移動した後、補強部２３を適当なクレーンにより持ち上げてトラックに収容して除去できる。また、補強部２３を適当に小さく分割して運び出すことも容易である。
【００１４】
前記実施の形態では、切断部２８を形成する際にＵ字鉄筋１２に分離部４５を形成しかつ平板状ジャッキ３３を収容する空間部を切断部２９により形成するが、切断部２９を形成せずに図１の右側の切断部２８内に平板状ジャッキ３３を挿入して加圧流動体を平板状ジャッキ３３に供給すれば良好に補強部２３を除去することができる。ただ、僅かに境界面２２より上に残るコンクリート部分や鉄筋は従来の器具を使用して簡単に除去出来る。切断部２８が境界面２２近くまで伸びる場合には非常に有効な方法である。
【産業上の利用可能性】
【００１５】
この発明は、コンクリート構築物の一部を極めて短時間に騒音も減少して除去することができ、例えば伸縮継手取付用補強部２３を除去する際に、床版１０の残存部に対する損傷も防止できる点で優れている。また、平板状ジャッキ３３を簡単に製造できかつ狭い切断部２８及び２９内に収容して大きい力で除去部を除去できると共に、使い捨ても可能である。
【図面の簡単な説明】
【００１６】
【図１】伸縮継手取付用補強部を除去する例に適用したこの発明の一実施の形態を示す断面図
【図２】床版から補強部に延びるＵ字鉄筋とこれに結合する水平鉄筋とを示す平面図
【図３】平板状ジャッキを挿入した切断部を示す平面図
【図４】補強部を移動した状態を示す断面図
【図５】平板状ジャッキの正面図
【符号の説明】
【００１７】
(11)・・残存部、  (12)・・鉄筋、  (22)・・境界面、  (23)・・除去部（補強部）、  (28,29,38)・・切断部、  (33)・・平板状ジャッキ、  (34)・・結合部、  (35)・・金属板、  (36)・・流入口、  (45)・・分離部、
【図１】
0003732781.tif 000002
【図２】
0003732781.tif 000003
【図３】
0003732781.tif 000004
【図４】
0003732781.tif 000005
【図５】
0003732781.tif 000006